(57)【要約】【課題】角形鋼材に断面欠損を生じることなく、角形鋼材同士を所定間隔を置いて平行に一種類の工具で短時間で連結可能な角形鋼材連結プレート及びそれを用いた軽量鉄骨構造の建築物を提供する。【解決手段】矩形状の一枚の薄鋼板から折り曲げ形成され、角形鋼材Ｓ１士を連結する角形鋼材連結プレート１において、矩形状の薄鋼板から折り曲げ形成されたプレート本体１０を備え、このプレート本体１０に、角形鋼材Ｓ１を囲繞する一対の角形鋼材保持部２，２’と、これらの角形鋼材保持部２，２’同士を一定の間隔を置いて連結する平板状の平板部３と、を設け、この平板部３に、他の角形鋼材連結プレート１と緊結するためのリベット（Ｒ１）やボルトなどの緊結部材を挿通する複数の連結孔ｈ１を各角形鋼材保持部２，２’の脇に沿ってそれぞれ穿設する。【選択図】図４
2020094426.tif 000002
【特許請求の範囲】
【請求項１】
矩形状の一枚の薄鋼板から折り曲げ形成され、角形鋼材同士を連結する角形鋼材連結プレートであって、
矩形状の薄鋼板から折り曲げ形成されたプレート本体を備え、
このプレート本体は、前記角形鋼材を囲繞する一対の角形鋼材保持部と、
これらの角形鋼材保持部同士を一定の間隔を置いて連結する平板状の平板部と、を有し、
この平板部には、他の角形鋼材連結プレートと緊結するためのリベットやボルトなどの緊結部材を挿通する複数の連結孔が各前記角形鋼材保持部の脇に沿ってそれぞれ穿設されていること
を特徴とする角形鋼材連結プレート。
【請求項２】
前記一対の角形鋼材保持部は、一方の角形鋼材保持部の幅が他方の角形鋼材保持部の幅より前記プレート本体の厚み分だけ広くなっていること
を特徴とする請求項１に記載の角形鋼材連結プレート。
【請求項３】
前記一対の角形鋼材保持部の間に、一定の間隔を置いて角形鋼材を囲繞する一対の角形鋼材保持部が形成され、
前記平板部は、前記一対の角形鋼材保持部と他の前記角形鋼材保持部とを一定の間隔を置いて連結する２以上の平板状の平板部からなり、
各平板部は、前記緊結部材を挿通する複数の連結孔が各前記角形鋼材保持部の脇に沿ってそれぞれ穿設されていること
を特徴とする請求項１又は２に記載の角形鋼材連結プレート。
【請求項４】
請求項１ないし３のいずれかに記載の角形鋼材連結プレートを２枚一組で互い違に嵌合して前記緊結部材で緊結することにより、前記角形鋼材同士が連結されていること
を特徴とする軽量鉄骨構造の建築物。
【発明の詳細な説明】
【技術分野】
【０００１】
本発明は、矩形状の薄鋼板から折り曲げ形成され、角形鋼材同士を連結する角形鋼材連結プレート、及びそれを用いた軽量鉄骨構造の建築物に関する。
【背景技術】
【０００２】
従来、厚さ４ｍｍ以下の薄鋼板から構造上有利な断面形状に冷間成型されたＨ形鋼、溝形鋼、Ｉ形鋼、山形鋼などの軽量形鋼からなる軽量鉄骨構造の建築物が知られている。また、軽量形鋼は、一般に、断面の一辺の長さが１００ｍｍ以上となったものが大形形鋼、一辺の長さが５０ｍｍ以上１００ｍｍ以下となったものが中形形鋼、一辺の長さが５０ｍｍ以下となったものが小形形鋼と呼ばれている。
【０００３】
軽量鉄骨構造の建築物において軽量形鋼が構造材として使用されているのは、大形形鋼か中形形鋼であり、小形形鋼は、家具、調度や、木造建築物やＲＣ造、ＳＲＣ造の建築物の間仕切り壁、天井材として使用されるに留まっていた。その理由は、小形形鋼では、構造上、強度不足であったからである。
【０００４】
しかし、大形形鋼や中形形鋼は、同じ断面寸法の鋼材が常に一定の需要があるものではないので、軽量鉄骨構造の建築物の構造材に用いる軽量形鋼は、受注生産されるものであった。このため、建築物を設計してから施工開始するまでの時間が遅延する要因となっているだけでなく、コストアップの要因となっていた。
【０００５】
また、小形形鋼は、軽量化しつつ断面性能を向上させるため、２ｍｍ以下の特に薄い薄鋼板から断面矩形状に形成されたスタッド、角形鋼管、Ｃ形チャンネルなどと呼ばれる角形鋼材が知られている。
【０００６】
そのため、本願の発明者は、家具、調度や、間仕切り壁、天井材などとして同一寸法の鋼材に常に一定の需要があり、安価な汎用品である小形形鋼を用いて軽量鉄骨構造の建築物を構築できないかと考えるに至った。しかし、従来は、断面性能を向上させた角形鋼材であっても、戸建住宅などの小規模な建築物でも明らかに強度不足であるため、構造材として使用するという着想自体ないものであった。
【０００７】
しかし、本願の発明者は、軽量化しつつ断面性能を向上させた小形形鋼の角形鋼材を、長手方向と直交する方向に一定間隔離間して組合せることにより、強度不足を解消し、構造材として使用することができるのではないかと考えた。
【０００８】
従来の角形部材の連結金具としては、例えば、特許文献１〜３に記載の連結金具が開示されている。
【０００９】
例えば、特許文献１には、木材からなる横架材同士を断面欠損を生じさせることなく連結して、ロングスパン化するこのとのできる継手構造及び連結金物２，３が開示されている（特許文献１の特許請求の範囲の請求項１、明細書の段落［００１２］〜［００２３］、図面の図１〜図３等参照）。
【００１０】
しかし、特許文献１に記載の連結金物２，３は、木材からなる横架部材にしか適用することができず、軽量鉄骨構造の建築物に適用した場合には、明らかに強度不足であるという問題があった。
【００１１】
また、特許文献２には、本体部と、これと直交する膨出部とを有する基板と、前記基板の面に垂直な方向に平行に延びる第１押圧板及び第２押圧板とを備え、前記本体部の両端近傍と前記第１ 押圧板と前記第２ 押圧板とにそれぞれ穴が形成され、前記本体部が、前記膨出部と前記第１ 押圧板、及び前記膨出部と前記第２ 押圧板との交線の延長線である屈曲線において屈曲可能である金属製の連結具が開示されている（特許文献２の特許請求の範囲の請求項１、明細書の段落［０００９］〜［００２２］、図面の図１〜図６等参照）。
【００１２】
しかし、特許文献２に記載の連結具は、角形スタッド５０にビス止めするものであった。このため、ビス止めにより貫通した孔の断面部分が露出することとなり、溶融亜鉛めっきなどのめっき鋼板であっても、その部分から経年的に腐食するおそれがあった。また、角形スタッドにビス止めするには、現場において、下孔をあけるなど正確に止付けるのに、手間と時間を要するという問題もあった。
【００１３】
特許文献３には、形鋼同士の連結部３の両側面を挟持する１対の板部材６の対向面の少なくとも一方に、連結部３の両側端に接して各形鋼の横移動を規制する係止部８を有するとともに、各係止部８の各内端面に接する直線同士が交差する交差部の互いの外側位置には両板部材６に直交するボルト孔をそれぞれ有してなる１対の連結部材を形成し、係止部８が連結部３と係合するようにして連結部を両側から連結部材で挟持し互いをボルトで締め付ける構成とする連結金具１が開示されている（特許文献３の特許請求の範囲の請求項１、明細書の段落［００１２］〜［００２０］、図面の図１〜図３等参照）。
【００１４】
しかし、特許文献３に記載の連結金具１は、連結する形鋼に孔あけ不要であるものの、長手方向に直交する断面の幅または高さが等しい形鋼同士を互いに同じ寸法の側同士を向かい合わせて、互いに直交方向にまたは直線状に突き合わせた形鋼同士の連結部を固定する連結金具である。このため、特許文献１に記載の発明には、前述の安価な汎用品である小形形鋼を構造材として用いて軽量鉄骨構造の建築物を構築するという着想自体ないものであった。さらに、特許文献１に記載の連結金具１は、自動車製造ラインの搬送トロリー用走行レールの支持架構形鋼により解体可能に構築する構築物に用いる連結金具であり、戸建住宅などの常設の長期的な建築物に耐え得る連結金具ではなかった。
【先行技術文献】
【特許文献】
【００１５】
【特許文献１】特開２００２−３０７３２号公報
【特許文献２】特開２００５−１８０１３５号公報
【特許文献３】特開２００４−３４０２３５号公報
【発明の概要】
【発明が解決しようとする課題】
【００１６】
そこで、本発明は、上述した問題に鑑みて案出されたものであり、その目的とするところは、角形鋼材に断面欠損を生じることなく、角形鋼材同士を所定間隔を置いて平行に一種類の工具で短時間で連結可能な角形鋼材連結プレート及びそれを用いた軽量鉄骨構造の建築物を提供することにある。
【課題を解決するための手段】
【００１７】
第１発明に係る角形鋼材連結プレートは、矩形状の一枚の薄鋼板から折り曲げ形成され、角形鋼材同士を連結する角形鋼材連結プレートであって、矩形状の薄鋼板から折り曲げ形成されたプレート本体を備え、このプレート本体は、前記角形鋼材を囲繞する一対の角形鋼材保持部と、これらの角形鋼材保持部同士を一定の間隔を置いて連結する平板状の平板部と、を有し、この平板部には、他の角形鋼材連結プレートと緊結するためのリベットやボルトなどの緊結部材を挿通する複数の連結孔が各前記角形鋼材保持部の脇に沿ってそれぞれ穿設されていることを特徴とする。
【００１８】
第２発明に係る角形鋼材連結プレートは、第１発明において、前記一対の角形鋼材保持部は、一方の角形鋼材保持部の幅が他方の角形鋼材保持部の幅より前記プレート本体の厚み分だけ広くなっていることを特徴とする。
【００１９】
第３発明に係る角形鋼材連結プレートは、第１発明又は第２発明において、前記一対の角形鋼材保持部の間に、一定の間隔を置いて角形鋼材を囲繞する一対の角形鋼材保持部が形成され、前記平板部は、前記一対の角形鋼材保持部と他の前記角形鋼材保持部とを一定の間隔を置いて連結する２以上の平板状の平板部からなり、各平板部は、前記緊結部材を挿通する複数の連結孔が各前記角形鋼材保持部の脇に沿ってそれぞれ穿設されていることを特徴とする。
【００２０】
第４発明に係る軽量鉄骨構造の建築物は、請求項１ないし３のいずれかに記載の角形鋼材連結プレートを２枚一組で互い違に嵌合して前記緊結部材で緊結することにより、前記角形鋼材同士が連結されていることを特徴とする。
【発明の効果】
【００２１】
第１発明〜第４発明によれば、現場でのビス止めや孔あけ作業が不要となり、一種類の工具だけで簡単に短時間で角形鋼材同士を所定間隔を置いて平行に連結することができる。また、第１発明〜第４発明によれば、角形鋼材に孔をあけるなどの断面欠損を生じることなく摩擦接合のみで連結することができる。このため、断面欠損部分から腐食するおそれがなく、防錆性能が向上し、耐久性の高い軽量鉄骨構造の建築物を構築することができる。
【００２２】
さらに、第１発明〜第４発明によれば、軽量化しつつ断面性能を向上させた小形形鋼の角形鋼材を、長手方向と直交する方向に一定間隔離間して組合せることにより、安価な汎用品である小形形鋼を用いて軽量鉄骨構造の建築物を構築することができる。それに加え、第１発明〜第４発明によれば、角形鋼材連結プレートは、一枚の薄鋼板から折り曲げ形成して貫通孔を穿設するだけで構成されているので、短時間で大量生産が可能であり、製造コストが大幅に低減することができる。
【００２３】
特に、第２発明によれば、前記作用効果に加え、表裏一組の角形鋼材連結プレートを同一形状とすることができる。このため、１つの製造ラインで一組の角形鋼材連結プレートの製造が可能となり、製造コストをさらに低減することができる。
【００２４】
特に、第３発明によれば、前記作用効果に加え、３本以上の角形鋼材を連結することが可能となり、安価な汎用品である小形形鋼を用いて、さらに強度的に負荷の高い軽量鉄骨構造の建築物の主要構造部材を構築することが可能となる。
【００２５】
特に、第４発明によれば、軽量鉄骨構造の建築物において、安価な汎用品である小形形鋼の角形鋼材を用いて軽量鉄骨構造の建築物を構築することができる。また、第４発明によれば、現場でのビス止めや孔あけ作業が不要となり、一種類の工具だけで簡単に短時間で角形鋼材同士を所定間隔を置いて平行に連結することができる。
【図面の簡単な説明】
【００２６】
【図１】本発明の第１実施形態に係る角形鋼材連結プレートを示す正面図である。
【図２】同上の角形鋼材連結プレートを示す平面図である。
【図３】同上の角形鋼材連結プレートを示す斜視図である。
【図４】同上の角形鋼材連結プレートで角形鋼材を連結する状態を示す分解斜視図である。
【図５】同上の角形鋼材連結プレートで角形鋼材を連結した状態を示す斜視図である。
【図６】本発明の第２実施形態に係る角形鋼材連結プレートを示す正面図である。
【図７】同上の角形鋼材連結プレートを示す平面図である。
【図８】同上の角形鋼材連結プレートを示す斜視図である。
【図９】図１の角形鋼材連結プレートの第２の使用形態を示す模式正面図である。
【図１０】図６の角形鋼材連結プレートの第２の使用形態を示す模式正面図である。
【発明を実施するための形態】
【００２７】
以下、本発明に係る角形鋼材連結プレートを実施するための形態について、図面を参照しながら詳細に説明する。
【００２８】
＜角形鋼材連結プレート＞
［第１実施形態］
先ず、図１〜図５を用いて、本発明の第１実施形態に係る角形鋼材連結プレート１について説明する。図１は、角形鋼材連結プレート１を示す正面図であり、図２は、角形鋼材連結プレート１を示す平面図である。また、図３は、角形鋼材連結プレート１を示す斜視図である。そして、図４は、角形鋼材連結プレート１で角形鋼材を連結する状態を示す分解斜視図であり、図５は、角形鋼材連結プレート１で角形鋼材を連結した状態を示す斜視図である。なお、図４，図５は、角形鋼材Ｓ１を壁のスタッドとして使用し、角形鋼材連結プレート１をそのランナーとして使用して壁を構築した軽量鉄骨構造の建築物を想定している。
【００２９】
図１〜図３に示すように、本発明の実施形態に係る角形鋼材連結プレート１は、矩形状の一枚のステンレス製の薄鋼板から折り曲げ形成されたプレート本体１０から主に構成されている。勿論、この角形鋼材連結プレート１は、ステンレス鋼板に限られず、角形鋼材Ｓ１同士を連結する上で必要な強度を有した鋼板などの金属製の板材から構成されていればよい。但し、本実施形態のように、ステンレス鋼板から一体成型すれば、メンテナンスフリーで長期に亘って防錆効果発揮することができるため好ましい。
【００３０】
このプレート本体１０は、両側の縁に沿って角形鋼材Ｓ１（図４，図５等参照）を囲繞する一対の角形鋼材保持部２，２’と、これらの角形鋼材保持部２，２’同士を一定の間隔を置いて連結する平板状の平板部３と、を有している。なお、本実施形態では、角形鋼材Ｓ１を厚さ１．２ｍｍで断面形状が３２ｍｍ×３２ｍｍの正方形状の角形鋼管を想定している
【００３１】
（プレート本体）
プレート本体１０は、図示実施形態では、厚さｔ１＝２ｍｍ（図２参照）の一枚の薄鋼板か折り曲げ加工されたものである。また、プレート本体１０の折り曲げ部分は、一般的なプレス加工で曲げ加工可能な最小半径で６か所を直角に曲げ加工され、後述の複数の連結孔が穿設されたただけで構成されている。このため、短時間で大量生産が可能であり、製造コストが大幅に低減することができる。なお、図示形態に係る角形鋼材連結プレート１のプレート本体１０の高さ（Ｈ１）は、角形鋼材Ｓ１との摩擦抵抗を考慮し、１４０ｍｍに設定している。
【００３２】
（角形鋼材保持部）
角形鋼材保持部２，２’は、図２等に示すように、いずれも角形鋼材Ｓ１に外嵌する断面コの字状の部位であり、一方の角形鋼材保持部２の幅Ｗ１が、角形鋼材Ｓ１の幅と略同一となっている。そして、他方の角形鋼材保持部２’の幅Ｗ２は、幅Ｗ１よりプレート本体１０の厚さｔ１分だけ広く設定されている。このため、図５等に示すように、同一形状の角形鋼材連結プレート１，１を２枚一組で表裏を互い違に嵌合させて緊結部材であるリベットＲ１で緊結するだけで、２本の角形鋼材Ｓ１を簡単に摩擦接合することができる。
【００３３】
即ち、角形鋼材保持部２は、外面部２１と、この外面部２１と一定距離離間して平行に形成された内面部２２と、を有し、この外面部２１と内面部２２との距離が角形鋼材Ｓ１の幅と略同一の幅Ｗ１＝３２ｍｍに設定されている。
【００３４】
一方、角形鋼材保持部２’は、外面部２１’と、この外面部２１’と一定距離離間して平行に形成された内面部２２’と、を有している。また、角形鋼材保持部２’は、この外面部２１’と内面部２２’との距離が角形鋼材Ｓ１の幅＋プレート本体１０の厚さｔ１＝２ｍｍと略同一の幅Ｗ２＝３４ｍｍに設定されている。
【００３５】
なお、外面部２１及び外面部２１’の奥行は、Ｄ１＝３１ｍｍ、Ｄ１’＝３２ｍｍに設定され、内面部２２及び内面部２２’の奥行は、いずれもＤ２＝１６ｍｍに設定されている。このため、図４，図５に示すように、同一形状の角形鋼材連結プレート１，１同士の表裏を互い違に嵌合させた際に、きれいに嵌合し、角形鋼材Ｓ１同士を連結することができる。
【００３６】
（平板部）
平板部３は、図２等に示すように、前述の角形鋼材保持部２，２’の内面部２２と内面部２２’との間に形成された平板状の幅Ｗ３＝８５．５ｍｍ×高さＨ１＝１４０ｍｍの長方形状（矩形状）の部位である。また、内面部２２及び内面部２２’の奥行Ｄ２が前述のように設定されている。このため、平板部３は、図４，図５に示すように、角形鋼材連結プレート１，１同士を表裏に嵌合させた際に、固定する角形鋼材Ｓ１，Ｓ１の軸心同士を結んだ線上において平板部３同士が当接（面接触）するようになっている。
【００３７】
そして、この平板部３には、他の角形鋼材連結プレート１と緊結するための緊結部材を挿通する複数（図示形態では８か所）の連結孔ｈ１が角形鋼材保持部２，２’の脇に沿ってそれぞれ穿設されている。具体的には、連結孔ｈ１は、角形鋼材保持部２，２’から１０ｍｍ程度離間した位置を中心とした直径５ｍｍの貫通孔である。
【００３８】
また、本実施形態に係る角形鋼材連結プレート１では、緊結部材としてブラインドリベット（ワンサイドリベット）などの一方向（一側面側）から施工可能なリベットで緊結することを想定している。勿論、本発明に係る緊結部材は、リベットに限られるものではなく、ボルトとナットとから構成しても良いことは云うまでもない。要するに、本発明に係る緊結部材は、緊張力が作用してプレート同士を摩擦接合できる部材であればよい。但し、厚さ４ｍｍ以下の薄鋼板からなるプレート同士を接合する場合には、ハイテンションボルトなどと相違して、ブラインドリベットなどのリベットで緊結する方が、安価且つ簡便で短時間で連結できるため好ましい。
【００３９】
なお、前述のように、角形鋼材連結プレート１は、固定する角形鋼材Ｓ１の直ぐ脇の角形鋼材保持部２，２’から１０ｍｍ程度離間した位置でリベット止めするため、リベットＲ１の緊結力を有効に伝達して、角形鋼材Ｓ１を固定することができる。また、角形鋼材連結プレート１は、図１等に示すように、８か所の連結孔ｈ１が、均等間隔で設けられているのではなく、平板部３の縁に近い位置に集中して設けられている。このため、リベット止めする箇所数の割に、角形鋼材Ｓ１が軸方向にずれることを効果的に防止して固定することが可能となっている。
【００４０】
［第２実施形態］
次に、図６〜図８を用いて、本発明の第２実施形態に係る角形鋼材連結プレート１’について説明する。図６は、角形鋼材連結プレート１’を示す正面図であり、図７は、角形鋼材連結プレート１’を示す平面図である。また、図８は、角形鋼材連結プレート１’を示す斜視図である。
【００４１】
本発明の第２実施形態に係る角形鋼材連結プレート１’が、前述の第１実施形態に係る角形鋼材連結プレート１と相違する点は、角形鋼材保持部２”が追加されている点と、それに応じて、平板部３’が２つ設けられている点である。よって、その点を主に説明し、同一構成は、同一符号を付し、説明を省略する。
【００４２】
本発明の実施形態に係る角形鋼材連結プレート１’は、矩形状の一枚のステンレス製の薄鋼板から折り曲げ形成されたプレート本体１０’から主に構成されている。
【００４３】
このプレート本体１０’は、前述の一対の角形鋼材保持部２，２’に加え、中央に、前述の角形鋼材Ｓ１を囲繞する角形鋼材保持部２”をさらに備えている。また、プレート本体１０’は、これらの角形鋼材保持部２，２”同士、及びこれらの角形鋼材保持部２’，２”同士を一定の間隔を置いて連結する２つの平板状の平板部３’，３’を有している。
【００４４】
（プレート本体）
プレート本体１０’も、プレート本体１０と同様に、厚さｔ１＝２ｍｍ（図７参照）の一枚の薄鋼板か折り曲げ加工されたものである。また、プレート本体１０’の折り曲げ部分も、一般的なプレス加工で曲げ加工可能な最小半径で１０か所を直角に曲げ加工され、複数の連結孔ｈ１が穿設されている。
【００４５】
（角形鋼材保持部）
角形鋼材保持部２”は、図７等に示すように、前述の内面部２２が両側面に設けられた角形鋼材Ｓ１に外嵌する断面コの字状の部位であり、角形鋼材Ｓ１の幅と略同一の幅Ｗ１となっている。そして、前述のように、角形鋼材保持部２’の幅Ｗ２は、幅Ｗ１よりプレート本体１０の厚さｔ１分だけ広く設定されている。このため、同一形状の角形鋼材連結プレート１’，１’を２枚一組で表裏を互い違に嵌合させて緊結部材であるリベットＲ１で緊結するだけで、２本の角形鋼材Ｓ１を簡単に摩擦接合することができる。
【００４６】
即ち、角形鋼材保持部２”は、一定距離離間して互いに平行に形成された２つの内面部２２を有し、この内面部２２同士の距離が角形鋼材Ｓ１の幅と略同一の幅Ｗ１＝３２ｍｍに設定されている。また、２つの内面部２２，２２の奥行は、いずれもＤ２＝１６ｍｍに設定されている。
【００４７】
（平板部）
平板部３’は、図７等に示すように、前述の角形鋼材保持部２，２”の内面部２２と内面部２２との間に形成された平板状の幅Ｗ４＝９４ｍｍ×高さＨ１＝１４０ｍｍの長方形状（矩形状）の部位である。
【００４８】
そして、この平板部３’には、図６等に示すように、他の角形鋼材連結プレート１’と緊結するためのリベットＲ１などの緊結部材を挿通する複数（図示形態では１６か所）の連結孔ｈ１が角形鋼材保持部２，２’，２”の脇に沿ってそれぞれ穿設されている。具体的には、連結孔ｈ１は、角形鋼材保持部２，２’，２”から１０ｍｍ程度離間した位置を中心とした直径５ｍｍの貫通孔である。
【００４９】
＜角形鋼材連結プレートの使用形態＞
次に、図９，図１０を用いて、前述の角形鋼材連結プレート１及び角形鋼材連結プレート１’の使用形態について説明する。図９は、角形鋼材連結プレート１の第２の使用形態を示す模式正面図であり、図１０は、角形鋼材連結プレート１’の第２の使用形態を示す模式正面図である。
【００５０】
図９は、厚さ１．２ｍｍ又は１．６ｍｍの３２ｍｍ×３２ｍｍの正方形状断面を有する構造用角形鋼管からなる角形鋼材Ｓ１が組み合わせれて構成された軽量鉄骨構造の建築物を想定している。勿論、本発明が適用可能な角形鋼材Ｓ１は、構造用角形鋼管に限られず、ステンレス製の角形鋼管などの他の鋼材からなるものであっても構わない。また、本発明が適用可能な角形鋼材Ｓ１は、厚さ０．４５ｍｍの薄鋼板から断面性能が高いリブ付き矩形状に折り曲げられたスタッドなどにも適用することができる。要するに、正方形状断面を有する鋼材には、本発明を適用することができる。
【００５１】
角形鋼材連結プレート１は、図５等に示したように、壁材の支柱して使用される角形鋼材Ｓ１同士を連結する他、次のような使用形態とすることができる。即ち、図９に示すように、角形鋼材連結プレート１の長辺を水平に沿って設置し、上下に所定間隔をあけて角形鋼材Ｓ１を２段に連結したものである。これは、軽量鉄骨構造の建築物において、上階の床を支える構造材としての鋼材を、小形形鋼である角形鋼材Ｓ１から構成し、強度的に支持可能なように、所定間隔をあけて２段に設置したものである。
【００５２】
図１０は、図９で示した場合でも強度的に不足する場合に、角形鋼材連結プレート１に替えて、角形鋼材連結プレート１’を使用し、上階の床を支える鋼材を３段にした場合の軽量鉄骨構造の建築物を想定している。
【００５３】
なお、図１０の中断の角形鋼材Ｓ１を抜き、図９より間隔の広がった上下２段の角形鋼材Ｓ１としてもよい。上階の床梁と、下階の天井下地を角形鋼材Ｓ１で構成することができるからである。照明器具やエアコンなどを設置するために、天井スペースを広くとりたいときに有効である。
【００５４】
以上説明した本発明の第１実施形態に係る角形鋼材連結プレート１及び第２実施形態に係る角形鋼材連結プレート１’によれば、現場でのビス止めや孔あけ作業が不要となり、リベット止め工具などの一種類の工具だけで簡単に短時間で角形鋼材同士を所定間隔を置いて平行に連結することができる。また、角形鋼材連結プレート１及び角形鋼材連結プレート１’によれば、角形鋼材Ｓ１に孔をあけるなどの断面欠損を生じることなく摩擦接合のみで連結することができる。このため、断面欠損部分から角形鋼材Ｓ１が腐食するおそれがなく、防錆性能が向上し、耐久性の高い軽量鉄骨構造の建築物を構築することができる。
【００５５】
その上、角形鋼材連結プレート１及び角形鋼材連結プレート１’によれば、軽量化しつつ断面性能を向上させた小形形鋼の角形鋼材を、長手方向と直交する方向に一定間隔離間して組合せることにより、安価な汎用品である小形形鋼を用いて軽量鉄骨構造の建築物を構築することができる。それに加え、角形鋼材連結プレート１及び角形鋼材連結プレート１’によれば、角形鋼材連結プレート１，１’が、一枚の薄鋼板から折り曲げ形成して貫通孔を穿設するだけで構成されているので、短時間で大量生産が可能であり、製造コストが大幅に低減することができる。
【００５６】
さらに、角形鋼材連結プレート１及び角形鋼材連結プレート１’は、表裏一組の連結プレートを同一形状とすることができる。このため、１つの製造ラインで一組の角形鋼材連結プレート１，１’の製造が可能となり、製造コストをさらに低減することができる。
【００５７】
以上、本発明の実施形態に係るについて詳細に説明したが、前述した又は図示した実施の形態は、何れも本発明を実施するにあたって具体化した一実施の形態を示したものに過ぎない。よって、これらによって本発明の技術的範囲が限定的に解釈されてはならないものである。特に、角形鋼材連結プレート１として、二本の角形鋼材を連結するもの、角形鋼材連結プレート１’として、三本の角形鋼材を連結するものを例示したが、角形鋼材保持部を４以上設けて連結できる角形鋼材を増加してもよいことは云うまでもない。
【符号の説明】
【００５８】
１，１’：角形鋼材連結プレート
１０，１０’：プレート本体
２，２’，２”：角形鋼材保持部
２１，２１’：外面部
２２，２２’：内面部
３，３’：平板部
ｈ１：連結孔
Ｒ１：リベット（緊結部材）
Ｓ１：角形鋼材
【図１】
2020094426.tif 000003
【図２】
2020094426.tif 000004
【図３】
2020094426.tif 000005
【図４】
2020094426.tif 000006
【図５】
2020094426.tif 000007
【図６】
2020094426.tif 000008
【図７】
2020094426.tif 000009
【図８】
2020094426.tif 000010
【図９】
2020094426.tif 000011
【図１０】
2020094426.tif 000012
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
矩形状の一枚の薄鋼板から折り曲げ形成され、角形鋼材同士を連結する角形鋼材連結プレートであって、
矩形状の薄鋼板から折り曲げ形成されたプレート本体を備え、
このプレート本体は、前記角形鋼材を囲繞する一対の角形鋼材保持部と、
これらの角形鋼材保持部同士を一定の間隔を置いて連結する平板状の平板部と、を有し、
この平板部には、他の角形鋼材連結プレートと緊結するためのリベットやボルトなどの緊結部材を挿通する複数の連結孔が各前記角形鋼材保持部の脇に沿ってそれぞれ穿設されており、
前記一対の角形鋼材保持部は、一方の角形鋼材保持部の幅が他方の角形鋼材保持部の幅より前記プレート本体の厚み分だけ広くなっていること
を特徴とする角形鋼材連結プレート。
【請求項２】
前記一対の角形鋼材保持部の間に、一定の間隔を置いて角形鋼材を囲繞する他の角形鋼材保持部が形成され、
前記平板部は、前記一対の角形鋼材保持部と他の前記角形鋼材保持部とを一定の間隔を置いて連結する２以上の平板状の平板部からなり、
各平板部は、前記緊結部材を挿通する複数の連結孔が各前記角形鋼材保持部の脇に沿ってそれぞれ穿設されていること
を特徴とする請求項１に記載の角形鋼材連結プレート。
【請求項３】
請求項１又は２に記載の角形鋼材連結プレートを２枚一組で互い違に嵌合して前記緊結部材で緊結することにより、前記角形鋼材同士が連結されていること
を特徴とする軽量鉄骨構造の建築物。
【手続補正２】
【補正対象書類名】明細書
【補正対象項目名】００１７
【補正方法】変更
【補正の内容】
【００１７】
第１発明に係る角形鋼材連結プレートは、矩形状の一枚の薄鋼板から折り曲げ形成され、角形鋼材同士を連結する角形鋼材連結プレートであって、矩形状の薄鋼板から折り曲げ形成されたプレート本体を備え、このプレート本体は、前記角形鋼材を囲繞する一対の角形鋼材保持部と、これらの角形鋼材保持部同士を一定の間隔を置いて連結する平板状の平板部と、を有し、この平板部には、他の角形鋼材連結プレートと緊結するためのリベットやボルトなどの緊結部材を挿通する複数の連結孔が各前記角形鋼材保持部の脇に沿ってそれぞれ穿設されており、前記一対の角形鋼材保持部は、一方の角形鋼材保持部の幅が他方の角形鋼材保持部の幅より前記プレート本体の厚み分だけ広くなっていることを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
第２発明に係る角形鋼材連結プレートは、第１発明において、前記一対の角形鋼材保持部の間に、一定の間隔を置いて角形鋼材を囲繞する一対の角形鋼材保持部が形成され、前記平板部は、前記一対の角形鋼材保持部と他の前記角形鋼材保持部とを一定の間隔を置いて連結する２以上の平板状の平板部からなり、各平板部は、前記緊結部材を挿通する複数の連結孔が各前記角形鋼材保持部の脇に沿ってそれぞれ穿設されていることを特徴とする。
【手続補正５】
【補正対象書類名】明細書
【補正対象項目名】００２０
【補正方法】変更
【補正の内容】
【００２０】
第３発明に係る軽量鉄骨構造の建築物は、請求項１又は２に記載の角形鋼材連結プレートを２枚一組で互い違に嵌合して前記緊結部材で緊結することにより、前記角形鋼材同士が連結されていることを特徴とする。
【手続補正６】
【補正対象書類名】明細書
【補正対象項目名】００２１
【補正方法】変更
【補正の内容】
【００２１】
第１発明〜第３発明によれば、現場でのビス止めや孔あけ作業が不要となり、一種類の工具だけで簡単に短時間で角形鋼材同士を所定間隔を置いて平行に連結することができる。また、第１発明〜第３発明によれば、角形鋼材に孔をあけるなどの断面欠損を生じることなく摩擦接合のみで連結することができる。このため、断面欠損部分から腐食するおそれがなく、防錆性能が向上し、耐久性の高い軽量鉄骨構造の建築物を構築することができる。
【手続補正７】
【補正対象書類名】明細書
【補正対象項目名】００２２
【補正方法】変更
【補正の内容】
【００２２】
さらに、第１発明〜第３発明によれば、軽量化しつつ断面性能を向上させた小形形鋼の角形鋼材を、長手方向と直交する方向に一定間隔離間して組合せることにより、安価な汎用品である小形形鋼を用いて軽量鉄骨構造の建築物を構築することができる。それに加え、第１発明〜第３発明によれば、角形鋼材連結プレートは、一枚の薄鋼板から折り曲げ形成して貫通孔を穿設するだけで構成されているので、短時間で大量生産が可能であり、製造コストが大幅に低減することができる。
また、第１発明〜第３発明によれば、前記作用効果に加え、表裏一組の角形鋼材連結プレートを同一形状とすることができる。このため、１つの製造ラインで一組の角形鋼材連結プレートの製造が可能となり、製造コストをさらに低減することができる。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
特に、第２発明によれば、前記作用効果に加え、３本以上の角形鋼材を連結することが可能となり、安価な汎用品である小形形鋼を用いて、さらに強度的に負荷の高い軽量鉄骨構造の建築物の主要構造部材を構築することが可能となる。
【手続補正１０】
【補正対象書類名】明細書
【補正対象項目名】００２５
【補正方法】変更
【補正の内容】
【００２５】
特に、第３発明によれば、軽量鉄骨構造の建築物において、安価な汎用品である小形形鋼の角形鋼材を用いて軽量鉄骨構造の建築物を構築することができる。また、第３発明によれば、現場でのビス止めや孔あけ作業が不要となり、一種類の工具だけで簡単に短時間で角形鋼材同士を所定間隔を置いて平行に連結することができる。